(57)【要約】【課題】簡単な構成を有し、撮像素子への露光状態と非露光状態との切り換えの応答性を早くすることが可能な撮像装置を提供する。【解決手段】撮像装置である一眼レフカメラ１０は、撮像のための受光面を有する撮像素子４と、被写体像を生成する撮影レンズ１と、スクリーン５，ペンタプリズム６，接眼レンズ７からなり、ファインダに上記被写体像を形成させるファインダ光学系と、上記被写体像の光学特性である合焦距離を検出するＡＦセンサ部１１と、上記撮影光レンズを経た上記被写体光束を上記ファインダ光学系および上記ＡＦセンサ部に導く第一の位置と、上記ファインダ光学系の光軸から退避し、上記被写体光束を上記受光面に入射可能とする第二の位置との間を、傾斜姿勢のままで上記ファインダ光学系の光軸を横切る方向に沿ってスライドする反射ユニット２とを備えている。【選択図】図１
2009025664.tif 000002
【特許請求の範囲】
【請求項１】
撮像のための受光面を有する撮像素子と、
上記撮像素子の受光面に入射させる被写体光束に係る被写体像を生成する撮影光学系と、
ファインダに上記被写体像を形成させるファインダ光学系と、
上記被写体像の光学特性を検出する検出器と、
上記撮影光学系を経た上記被写体光束を上記ファインダ光学系および上記検出器に導く第一の位置と、上記ファインダ光学系の光軸から退避し、上記被写体光束を上記受光面に入射可能とする第二の位置との間を、反射面の角度を保ったまま、上記ファインダ光学系の光軸を横切る方向に沿ってスライドする反射ユニットと、
を備えたことを特徴とする撮像装置。
【請求項２】
上記反射ユニットは、上記ファインダ光学系の光軸を挟んで配置された一対のレール部材と、上記レール部材に対して移動可能に両側が保持された反射板とを有することを特徴とする請求項１に記載の撮像装置。
【請求項３】
上記反射ユニットは、上記ファインダ光学系に被写体光束を導く第一の反射板と、上記検出器に上記被写体光束を導く第二の反射板とを有し、上記第二の反射板は、上記スライド方向の幅が第一の反射板の上記スライド方向の幅と略同一であることを特徴とする請求項１記載の撮像装置。
【発明の詳細な説明】
【技術分野】
【０００１】
本発明は、撮像素子を用いて被写体像を撮像する撮像装置の構造に関する。
【背景技術】
【０００２】
従来、撮像素子を用いた撮像装置である通常の一眼レフカメラの構成として、例えば、特許文献１などに開示されたものには、図５の縦断面図（概要）に示すように撮影レンズ光軸（Ｏ）上に沿って着脱可能な撮影レンズ１０１と、サブミラー１０２ａを備えたハーフミラーからなる可動ミラー１０２と、シャッタ１０３と、撮像素子１０４とが配され、さらに、光軸の上側方にスクリーン１０５とペンタプリズム１０６および接眼レンズ１０７とが配されており、また、光軸の下側方にＡＦセンサ部１０８とが配されている。
【０００３】
可動ミラー１０２は、光軸と直交する平面に沿って左右に延びるミラー軸１０２ｂに開閉回動可能な状態でバネにより付勢された状態で支持されており、電源オン時、ファインダ観察時、ＡＦ時に撮影光路中に傾斜した光路進入位置（撮像素子非露光状態の位置）に回動駆動され、露光時に上記撮影光路から退避した退避位置（撮像素子露光状態の位置）に回動駆動される。
【特許文献１】特開昭６１−４６９４１号公報
【発明の開示】
【発明が解決しようとする課題】
【０００４】
しかし、上記従来の一眼レフカメラにおいては、上記可動ミラー１０２の回動駆動速度自体に限界があり、高速連写撮影における連写速度が制限される。近年では１０コマ／秒以上の連写が可能な高速処理が可能な撮像素子も開発されており、そのような撮像素子に対して上記従来の可動ミラー駆動機構では対応が難しいと思われる。
【０００５】
また、退避位置から光路進入位置に回動した際の応答動作が遅れる。詳しくは、可動ミラーが急激に停止することからバウンドが生じ、素早くファインダ観察状態に移行したり、切り換え後に直ちにＡＦ処理を開始することが難しかった。
【０００６】
本発明は、上述の問題を解決するためになされたものであり、撮像素子を用いた撮像装置において、簡単な構成を有し、撮像素子への露光状態と非露光状態との切り換えの応答性を早くすることが可能な撮像装置を提供することを目的とする。
【課題を解決するための手段】
【０００７】
本発明の請求項１記載の撮像装置は、撮像のための受光面を有する撮像素子と、上記撮像素子の受光面に入射させる被写体光束に係る被写体像を生成する撮影光学系と、ファインダに上記被写体像を形成させるファインダ光学系と、上記被写体像の光学特性を検出する検出器と、上記撮影光学系を経た上記被写体光束を上記ファインダ光学系および上記検出器に導く第一の位置と、上記ファインダ光学系の光軸から退避し、上記被写体光束を上記受光面に入射可能とする第二の位置との間を、反射面の角度を保ったまま、上記ファインダ光学系の光軸を横切る方向に沿ってスライドする反射ユニットとを備えている。
【０００８】
本発明の請求項２記載の撮像装置は、請求項１に記載の撮像装置において、上記反射ユニットは、上記ファインダ光学系の光軸を挟んで配置された一対のレール部材と、上記レール部材に対して移動可能に両側が保持された反射板とを有する。
【０００９】
本発明の請求項３記載の撮像装置は、請求項１記載の撮像装置において、上記反射ユニットが上記ファインダ光学系に被写体光束を導く第一の反射板と、上記検出器に上記被写体光束を導く第二の反射板とを有し、上記第二の反射板は、上記スライド方向の幅が第一の反射板の上記スライド方向の幅と略同一である。
【発明の効果】
【００１０】
本発明によれば、撮像素子を用いた撮像装置において、簡単な構成を有し、撮像素子への露光状態と非露光状態との切り換えの応答性を早くすることが可能な撮像装置を提供することができる。
【発明を実施するための最良の形態】
【００１１】
以下、図を用いて本発明の実施形態について説明する。
【００１２】
図１は、本発明の第一の実施形態の撮像装置である一眼レフカメラの主要構成を示す光軸に沿った断面図であって、ファインダ観察／ＡＦ測距状態を示している。図２は、上記一眼レフカメラに適用される反射ユニットブロックの作動状態を示す斜視図である。
【００１３】
本実施形態の一眼レフカメラ１０は、図１に示すようにカメラボディ（図示せず）に着脱可能な撮影レンズ１と、カメラボディに内蔵される部材として撮影レンズ１の後方に被写体側から順に撮影光学系の光軸であるレンズ光軸Ｏに沿って配される反射ユニット２と、シャッタユニット３と、撮像素子４とを具備し、さらに、レンズ光軸Ｏの上方に配され、後述するファインダ光学系と、レンズ光軸の下方側に配される検出器としてのＡＦセンサ部１１と、制御部２８とを具備している。
【００１４】
撮影レンズ１は、被写体光束を取り込み、その被写体像を撮像素子４の受光面４ａ上に結像させる撮影光学系である。
【００１５】
上記ファインダ光学系は、レンズ光軸Ｏの上方位置であって、レンズ光軸Ｏと交差するファインダ光軸Ｏｆ上に配されるスクリーン５と、スクリーン５上方に配されるペンタプリズム６と、ペンタプリズム６の後方に配される接眼レンズ７とからなり、接眼レンズ７の近傍に被写体輝度測定のためのＡＥ測光センサ８が配されている。
【００１６】
ＡＦセンサ部１１は、取り込まれた被写体光束の光学特性である被写体像の合焦状態を検出するためのＡＦ測距センサよりなり、その前面側にＡＦミラー９が配されている。
【００１７】
反射ユニット２は、一対のレール部材であるガイド軸２４ａ，２４ｂにより後述するＸ方向に沿ってスライド可能に支持されるミラー枠２１と、該ミラー枠２１に支持され、上記被写体光束をファインダ光軸Ｏｆ方向に反射する第一の反射板であるメインミラー２２と、該ミラー２２の一部に形成されるハーフミラー部の背面側に固着して取り付けられる第二の反射板であるサブミラー２３と、出力軸にワイヤプーリ２５ａが固着される反射ユニット駆動モータ２５と、Ｘ方向の一端部がワイヤプーリ２５ａに固着され、かつ、巻回され、他端部がテンションバネ２７に固着され、中央部がミラー枠２１のワイヤ固定部２１ａに固着されているワイヤ２６とからなる。
【００１８】
なお、上記Ｘ方向は、レンズ光軸Ｏに対して交差する水平（＋，−）方向とする。
【００１９】
一対のガイド軸２４ａ，２４ｂは、ファインダ光軸Ｏｆを挟んで配置されており、ミラー枠２１は、メインミラー２２をレンズ光軸方向に対して傾斜した姿勢で支持し、ガイド軸２４ａ，２４ｂによってスライド可能に支持されている。
【００２０】
メインミラー２２のＸ方向の幅は、ファインダ観察に対して所定寸法の余裕（横長状態）を有している。さらに、サブミラー２３のＸ方向の幅は、メインミラー２２の幅と略同一とする。但し、サブミラー２３の幅が狭くてもよいがスライド動作中に測距を行わせた場合、測距可能な時間がその分だけ少なくなる。
【００２１】
カメラ１０が撮像素子非露光状態であるファインダ観察状態にあるときは、反射ユニット２のメインミラー２２が第一の位置であるレンズ光軸Ｏ上にあるファインダ観察位置（Ａ）（図２）にある。この状態では、上記被写体光束は、メインミラー２２によりファインダ光学系のスクリーン５側に反射され、ペンタプリズム６と接眼レンズ７を介して被写体像が観察可能である。同時にＡＥ測光センサ８により被写体輝度が検出される。また、メインミラー２２が上記ファインダ観察位置（Ａ）にある状態で被写体光束の一部は、メインミラー２２のハーフミラー部を透過してサブミラー２３で反射され、さらに、ＡＦミラー９で反射され、ＡＦセンサ部１１に入射し、被写体の測距が行われる。
【００２２】
カメラ１０が撮像素子露光状態への切り替えられた場合、反射ユニット駆動モータ２５が回転駆動され、ワイヤプーリ２５ａが巻回方向、または、巻回開放方向に回転するとワイヤ２６を介してミラー枠２１が＋Ｘ方向、または、−Ｘ方向に駆動され、メインミラー２２が第二の位置であるレンズ光軸上から退避した右側の退避位置（Ｂ）、または、左側の退避位置（Ｃ）に移動する。この状態では被写体光束は、開放状態にあるシャッタユニット３を透過して撮像素子４の受光面４ａ上に結像し、撮像素子４より撮像信号が出力される。
【００２３】
ミラー枠２１が一方の退避位置から他方の退避位置に移動する際、メインミラー２２，サブミラー２３がともにＸ方向に余裕を持った所定の幅を有していることから、ファインダ観察位置（Ａ）を通過中の状態であっても所定時間継続してファインダ観察やＡＦ測距が可能である。
【００２４】
制御部２８は、レリーズスイッチ（図示せず）の一段目、および、二段目操作信号を取り込み、その操作信号に基づいて反射ユニット駆動モータ２５を駆動制御してミラー枠２１のメインミラー２２の位置を制御し、該ミラー枠２２の移動に同期した状態でファインダ観察状態と、測距状態と、撮像素子露光状態との切り替え制御を行う。上記露光状態にて撮像素子４により被写体光束による被写体像の撮像信号を取り込み、撮像処理の制御を行う。
【００２５】
上述の構成を有する本実施形態の一眼レフカメラ１０により単写撮影を行う場合、制御部２８の制御のもとで各動作の制御が実行され、まず、電源オン時に反射ユニット２を移動させ、図２に示すようにメインミラー２２をレンズ光軸Ｏ上のファインダ観察位置（Ａ）に移動させる。この状態では撮影レンズ１を通して入射する被写体光束がメインミラー２２でスクリーン５側に反射され、ペンタプリズム６と接眼レンズ７を介して光学ファインダによる被写体像の観察が可能である。また、ＡＥセンサ部８により被写体輝度の検出がなされる。
【００２６】
上記レリーズスイッチの一段目操作によりメインミラー２２がファインダ観察位置（Ａ）にある状態のままでサブミラー２３およびＡＦミラー９を介してＡＦセンサ部１１に入射した被写体光束により測距信号が検出され、ＡＦセンサ部１１の該測距信号に基づいて撮影レンズ１のピント合わせが行われる。
【００２７】
続いて、上記レリーズスイッチの二段目操作により反射ユニット駆動モータ２５が回転駆動され、ミラー枠２１をスライド駆動してメインミラー２２を退避位置（Ｂ）、または、（Ｃ）に移動させる。被写体光束は、開状態としたシャッタユニット３を透過して撮像素子４の受光面４ａ上に結像し、撮像素子４の露光が開始される。撮像素子４による撮像信号は、画像処理後、メディア等に記録される。露光終了後、ミラー枠２１をスライド駆動してメインミラー２２は、再度、ファインダ観察位置（Ａ）に戻される。
【００２８】
一眼レフカメラ１０にて連写撮影を行う場合、同様に制御部２８の制御のもとで各動作の制御が実行され、まず、上記レリーズスイッチの一段目操作が行われると、上述した単写時と同様にメインミラー２２がファインダ観察位置（Ａ）にある状態のままでＡＦセンサ部１１による測距が実行され、撮影レンズ１のピント合わせが行われる。
【００２９】
続いて、上記レリーズスイッチの二段目操作により反射ユニット駆動モータ２５が正転および逆転駆動され、メインミラー２２が連写速度（コマ／秒）に応じてファインダ観察位置（Ａ）から退避位置（Ｂ）、さらに、ファインダ観察位置（Ａ）を経て退避位置（Ｃ）に、再度、ファインダ観察位置（Ａ）を経て退避位置（Ｂ）へのスライド移動が繰り返される。メインミラー２２が退避位置（Ｂ）、または、（Ｃ）に移動する度に撮像素子４による連写のための露光が実行され、画像処理された画像信号は、順次、記憶媒体等に記録される。また、メインミラー２２がファインダ観察位置（Ａ）を通過する度にファインダ光学系への被写体光束が取り込まれ、また、ＡＦセンサ部１１への被写体光束の取り込みと撮影レンズ１のピント合わせが繰り返される。
【００３０】
上記レリーズスイッチを解放したとき、メインミラー２２をファインダ観察位置（Ａ）に戻した状態で反射ユニット２を停止させ、連写撮影を終了させる。
【００３１】
上述した本実施形態の一眼レフカメラ１０によれば、図５に示される従来の一眼レフカメラ１００にて適用された揺動式可動ミラー１０２に替えてＸ方向にスライド移動可能な反射ユニット２を採用していることから、被写体光束の光路中のレンズ光軸Ｏ方向に狭いスペースに反射ユニット２を収容することができる。また、メインミラー２２およびサブミラー２３は、レンズ光軸Ｏに対する傾斜角度が一定に保持されてスライド移動することから移動中を含み停止時においてもミラーのバウンドによる影響がなく、素早く光学ファインダ観察状態に切り替え、また、速やかにＡＥ測光，ＡＦ測距を行うことができ、従って、撮像素子２４の露光状態への切り替え応答性も早くなる。
【００３２】
また、連写撮影時においても同様に上記従来の一眼レフカメラ１００のように可動ミラーを揺動駆動させる必要がなく、上記メインミラー２２およびサブミラー２３をスライド移動させるのみでよく、切り替え時にバウンド現象も生じず高速駆動が可能であり、また、メインミラー２２およびサブミラー２３のＸ方向の幅に余裕寸法を持たせたことからミラー移動中においても光学ファインダ観察や測距が可能であり、例えば、１０コマ／秒以上の高速連写が可能になる。さらに、メインミラー２２およびサブミラー２３のＸ方向の幅が所定の寸法の余裕をもっており、メインミラー２２が観察位置（Ａ）近傍の所定の範囲を移動中、高速連写時にあってもファインダ観察が可能であり、また、被写体が動体である場合でもその被写体に追従したＡＦ測距とピント合わせが可能である。
【００３３】
次に本発明の第二の実施形態の撮像装置である一眼レフカメラについて、図３，４を用いて説明する。  
図３は、本実施形態の撮像装置である一眼レフカメラの主要構成を示す光軸に沿った断面図であって、ファインダ観察／ＡＦ測距状態を示している。図４は、上記一眼レフカメラに適用される反射ユニットブロックの作動状態を示す正面図である。
【００３４】
本実施形態の一眼レフカメラ３０は、図３に示すようにカメラボディ（図示せず）に着脱可能な撮影レンズ３１と、カメラボディに内蔵される部材として撮影レンズ３１の後方に被写体側から順に撮影光学系の光軸であるレンズ光軸Ｏに沿って配される反射ユニット３２と、シャッタユニット３３と、撮像素子３４とを具備し、さらに、レンズ光軸Ｏの上方に配され、後述するファインダ光学系と、レンズ光軸の下方側に配される検出器としてのＡＦセンサ部４０と、制御部４８とを具備している。
【００３５】
撮影レンズ３１は、被写体光束を取り込み、その被写体像を撮像素子３４の受光面３４ａ上に結像させる撮影光学系である。
【００３６】
上記ファインダ光学系は、レンズ光軸Ｏの上方位置であって、レンズ光軸Ｏと交差するファインダ光軸Ｏｆ上に配されるスクリーン３５と、スクリーン３５上方に配されるペンタプリズム３６と、ペンタプリズム３６の後方に配される接眼レンズ３７とからなり、接眼レンズ３７の近傍に被写体輝度測定のためのＡＥ測光センサ３８が配されている。
【００３７】
ＡＦセンサ部４０は、取り込まれた被写体光束の光学特性である被写体像の合焦状態を検出するためのＡＦ測距センサよりなり、その前面側にＡＦミラー３９が配されている。
【００３８】
反射ユニット３２は、一対のレール部材であるガイド軸４４ａ，４４ｂにより後述するＸ方向に沿ってスライド可能に支持されるミラー枠４１と、該ミラー枠４１に保持され、上記被写体光束をファインダ光軸Ｏｆ方向に反射する第一の反射板であるメインミラー４２と、該ミラー４２の一部に形成されるハーフミラー部の背面側に固着状態で取り付けられる第二の反射板であるサブミラー４３と、Ｘ方向一端部に配される歯付きプーリ４５ａが固着される出力軸を有するステッピングモータの反射ユニット駆動モータ４５と、Ｘ方向の他端部に配される歯付きプーリ４５ｂと、歯付きプーリ４５ａ，４５ｂ間に装着され、中央部がミラー枠４１のベルト固定部４１ａに固着されたタイミングベルト４６とからなる。
【００３９】
なお、上記Ｘ方向は、レンズ光軸Ｏに対して交差する水平方向（＋，−）とする。また、一対のガイド軸４４ａ，４４ｂは、ファインダ光軸Ｏｆを挟んで配置されている。ミラー枠４１は、メインミラー４２がレンズ光軸方向に対して傾斜したままの姿勢でガイド軸４４ａ，４４ｂによってスライド可能に支持されている。また、メインミラー４２のＸ方向の幅は、ファインダ観察に対して所定寸法の余裕（横長状態）を有している。さらに、サブミラー４３のＸ方向の幅は、メインミラー４２の幅と略同一とする。但し、サブミラー４３の幅の方が狭くてもよいがスライド移動中に測距を行う場合には測距処理可能な時間が少なくなる。
【００４０】
カメラ３０が撮像素子非露光状態であるファインダ観察状態にあるときは、メインミラー４２が第一の位置であるレンズ光軸Ｏ上にあるファインダ観察位置（Ａ）（図２）にある。この状態では、上記被写体光束は、メインミラー４２によりファインダ光学系のスクリーン３５側に反射され、ペンタプリズム３６と接眼レンズ３７を介して被写体像が観察可能である。同時にＡＥ測光センサ３８により被写体輝度が検出される。また、メインミラー４２がファインダ観察位置（Ａ）にある状態で被写体光束の一部は、メインミラー４２のハーフミラー部を透過してサブミラー４３で反射され、さらに、ＡＦミラー３９で反射され、ＡＦセンサ部４０に入射し、被写体の測距が行われる。
【００４１】
カメラ３０が撮像素子露光状態への切り替えられた場合、反射ユニット駆動モータ４５が回転駆動され、歯付きプーリ４５ａが左、右方向に回転するとタイミングベルト４６を介してにミラー枠４１が＋Ｘ方向、または、−Ｘ方向に駆動され、メインミラー４２が第二の位置であるレンズ光軸上から退避した退避位置（Ｂ）、または、（Ｃ）に移動する。この状態では被写体光束は、開放状態にあるシャッタユニット３３を透過して撮像素子３４の受光面３４ａ上に結像し、撮像素子３４より撮像信号が出力される。
【００４２】
ミラー枠４１が一方の退避位置から観察位置を経て他方の退避位置に移動する際、メインミラー４２，サブミラー４３がともにＸ方向に余裕を持った所定の幅を有していることから、ファインダ観察位置を通過するが所定の幅の通過区間にて所定時間継続してファインダ観察およびＡＦ測距が可能である。
【００４３】
制御部４８は、レリーズスイッチ（図示せず）の一段目、および、二段目操作による操作信号を取り込み、その操作信号に基づいて反射ユニット駆動モータ４５を駆動制御して反射ユニット３２のミラー枠４１の位置を制御し、メインミラー４２の移動に同期した状態でファインダ観察状態と、測距状態と、撮像素子露光状態との切り替え制御を行う。上記露光状態にて撮像素子３４により被写体光束による被写体像の撮像信号を取り込み、撮像処理の制御を行う。
【００４４】
上述の構成を有する本実施形態の一眼レフカメラ３０により単写撮影を行う場合、制御部４８の制御のもとで各動作の制御が実行され、まず、電源オン時に反射ユニット３２を移動させ、図４に示すようにメインミラー４２をレンズ光軸Ｏ上のファインダ観察位置（Ａ）に移動させる。この状態では撮影レンズ３１を通して入射する被写体光束がメインミラー４２でスクリーン３５側に反射され、ペンタプリズム３６と接眼レンズ３７を介して光学ファインダによる被写体像の観察が可能である。また、ＡＥセンサ部３８により被写体輝度の検出がなされる。
【００４５】
上記レリーズスイッチの一段目操作によりメインミラー４２がファインダ観察位置（Ａ）にある状態のままで被写体光束の一部がサブミラー４３およびＡＦミラー３９を介してＡＦセンサ部４０に入射し、ＡＦセンサ部４０の測距信号に基づいて撮影レンズ３１のピント合わせが行われる。
【００４６】
続いて、上記レリーズスイッチの二段目操作により反射ユニット駆動モータ４５が回転駆動され、ミラー枠４１をスライド駆動してメインミラー４２を退避位置（Ｂ）、または、（Ｃ）に移動させる。被写体光束は、シャッタユニット３３を透過して撮像素子３４の受光面３４ａ上に結像し、撮像素子３４の露光が開始される。撮像素子３４による撮像信号は、画像処理後、メディア等に記録される。露光終了後、ミラー枠４１をスライド駆動してメインミラー４２は、再度、ファインダ観察位置（Ａ）に戻される。
【００４７】
一眼レフカメラ３０にて連写撮影を行う場合も同様に制御部４８の制御のもとで各動作の制御が実行され、まず、上記レリーズスイッチの一段目操作が行われると、上述した単写時と同様にメインミラー４２がファインダ観察位置（Ａ）にある状態のままでＡＦセンサ部４０による測距が実行され、撮影レンズ３１のピント合わせが行われる。
【００４８】
続いて、上記レリーズスイッチの二段目操作により反射ユニット駆動モータ４５が正転および逆転駆動され、メインミラー４２が連写速度（コマ／秒）に応じてファインダ観察位置（Ａ）から退避位置（Ｂ）、さらに、ファインダ観察位置（Ａ）を経て退避位置（Ｃ）に、再度、ファインダ観察位置（Ａ）を経て退避位置（Ｂ）へのスライド移動が繰り返される。メインミラー４２が退避位置（Ｂ）、または、（Ｃ）に移動する度に撮像素子３４による連写のための露光が実行され、画像処理された画像信号は、順次メディア等に記録される。また、メインミラー４２がファインダ観察位置（Ａ）を通過する度にファインダ光学系への被写体光束が取り込まれ、また、ＡＦセンサ部４０への被写体光束の取り込みと撮影レンズ３１のピント合わせが繰り返される。
【００４９】
上記レリーズスイッチを解放したとき、連写撮影を終了させ、メインミラー４２を観察位置（Ａ）に戻した状態でミラー枠４１を停止させる。
【００５０】
上述した本実施形態の一眼レフカメラ３０によれば、単写撮影、連写撮影に対して前述した第一の実施形態による効果と同様の効果を奏する。特に本実施形態の場合、ミラー枠駆動用としてタイミングベルト４６を適用したことによりテンションバネ２７が不要となり、反射ユニット駆動モータ４５の負荷が軽減され、より小型のモータを利用することも可能である。
【００５１】
なお、上述した第一，二の実施形態にて適用されるステッピングモータの反射ユニット駆動モータ２５，４５に替えて超音波モータや音響モータを上記反射ユニット駆動モータとして利用することも可能である。
【００５２】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００５３】
本発明の撮像装置によれば、撮像素子を用いた撮像装置において、簡単な構成を有し、撮像素子への露光状態と非露光状態との切り換えの応答性が早く、従って、高速連写が可能な撮像装置として利用することができる。
【図面の簡単な説明】
【００５４】
【図１】本発明の第一の実施形態の撮像装置である一眼レフカメラの主要構成を示す光軸に沿った断面図であって、光学ファインダ観察、ＡＦ測距状態を示す。
【図２】図１の一眼レフカメラに適用すつ反射ユニットブロックの斜視図である。
【図３】本発明の第二の実施形態の撮像装置である一眼レフカメラの主要構成を示す光軸に沿った断面図であって、光学ファインダ観察、ＡＦ測距状態を示す。
【図４】図３の一眼レフカメラに適用すつ反射ユニットブロックの正面図である。
【図５】従来の撮像装置である一眼レフカメラの主要構成を示す光軸に沿った断面図である。
【符号の説明】
【００５５】
１，３１…撮影レンズ（撮影光学系）
２，３２…反射ユニット
４，３４…撮像素子
４ａ，３４ａ…受光面
５，３５
…スクリーン（ファインダ光学系）
６，３６
…ペンタプリズム（ファインダ光学系）
７，３７
…接眼レンズ（ファインダ光学系）
２２，４２…メインミラー（反射板）
２４ａ，２４ｂ，４４ａ，４４ｂ
…ガイド軸（レール部材）
Ｏ  …レンズ光軸（撮影光学系の光軸）
Ｏｆ…ファインダ光軸（ファインダ光学系の光軸）
【図１】
2009025664.tif 000003
【図２】
2009025664.tif 000004
【図３】
2009025664.tif 000005
【図４】
2009025664.tif 000006
【図５】
2009025664.tif 000007